(57)【要約】      （修正有）【課題】障害物を越えるときロープとロープとを架け替えて、配電柱等の高所で作業する人の安全を確保する。【解決手段】安全帯２／副帯３の左右に右側連結体４１及び左側連結体４２が固定され、右側連結体４１の傾斜部に、ロープ８のフック（困難着脱部）１７が連結され、右側連結体４１の先端底辺の凹部にロープ７のフック（容易着脱部）１１が連結される。左側連結体４２の傾斜部に、ロープ７のフック（困難着脱部）１６が連結され、左側連結体４２の先端底辺の凹部にロープ８のフック（容易着脱部）１２が連結される。ロープ７、８は、配電柱（柱状構造物）を周回して係合し、作業者を支えている。【選択図】図１
2019042090.tif 000002
【特許請求の範囲】
【請求項１】
柱状の構造物で作業する人の腰部付近に装着される装着体と、
この装着体の所定位置に設けられ、当該装着体を腰部に離脱しないように固定する固定部と、
上記柱状の構造物を周回し、両端が上記装着体に着脱自在に係止される、少なくとも２本のロープと、
この少なくとも２本のロープのそれぞれの一端には容易着脱部が設けられ、他端には困難着脱部が設けられ、  この困難着脱部を上記装着体から外すときの操作位置が上記装着体または困難着脱部自身で隠されるまたは困難着脱部が作動しなくなって容易に外すことができず、  上記容易着脱部を上記装着体から外すときの操作位置が隠されずまたは容易着脱部の作動が妨害されず容易に外すことができるものであり、
当該少なくとも２本のロープのそれぞれの容易着脱部は、上記装着体の左右逆の位置に設けられ、  この少なくとも２本のロープのそれぞれの困難着脱部は、上記装着体の左右逆の位置に設けられ、
これら容易着脱部と困難着脱部とは、  この容易着脱部が上記装着体の右側に係止されれば、この困難着脱部は上記装着体の左側に係止され、  当該容易着脱部が上記装着体の左側に係止されれば、当該困難着脱部は上記装着体の右側に係止され、
上記装着体の右側に取り付けられ、上記一方の容易着脱部及び上記他方の困難着脱部が着脱自在に連結される右側連結体と、
上記装着体の左側に取り付けられ、上記他方の上記容易着脱部及び上記一方の困難着脱部が着脱自在に連結される左側連結体と、を備えたことを特徴とする安全装置。
【請求項２】
上記右側連結体と上記左側連結体とは、上記装着体側から突出した先端は、内側に向かって湾曲していることを特徴とする請求項１記載の安全装置。
【請求項３】
上記右側連結体と上記左側連結体とは、上記装着体側より先端に向かって細くなっていることを特徴とする請求項２記載の安全装置。
【請求項４】
上記右側連結体と上記左側連結体とは、上記装着体側より先端に向かって下方が上へ向かって傾斜していることを特徴とする請求項３記載の安全装置。
【請求項５】
上記右側連結体と上記左側連結体とは、同一形状で、扁平で凹凸が無く、表裏で同一形状であることを特徴とする請求項４記載の安全装置。
【請求項６】
上記右側連結体と上記左側連結体とは、上記装着体において、ほぼ左右対称の位置に設けられていることを特徴とする請求項５記載の安全装置。
【請求項７】
上記一方のロープ並びにこのロープの両端の困難着脱部及び容易着脱部と、上記他方のロープ並びにこのロープの両端の困難着脱部及び容易着脱部とは、色が異なっていることを特徴とする請求項６記載の安全装置。
【発明の詳細な説明】
【技術分野】
【０００１】
本発明は、配電柱等の柱状構造物で作業する作業者が使用する安全装置に関する。
【背景技術】
【０００２】
配電柱等の柱状構造物の高所で作業する場合には、通常、作業者は腰部に安全装置を装着し、ロープを配電柱等に周回させ、上記安全装置にこのロープを連結して取り付け、昇降および作業中の安全を確保している。
【０００３】
【特許文献１】特許第６０５５５８２号公報
【特許文献２】特開平８−８４７８０号公報
【特許文献３】実開平６−６３０５９号公報
【特許文献４】実開平６−６１２５９号公報
【特許文献５】実開昭５６−０１４３４９号公報
【特許文献６】実公昭２９−００７３５９号公報
【特許文献７】実開昭６０−０４３３４０号公報
【特許文献８】実開平７−０１５０５８号公報
【特許文献９】実開平５−０２８３５４号公報
【特許文献１０】実開昭５９−０１６６５２号公報
【発明の開示】
【発明が解決しようとする課題】
【０００４】
この場合、左右二本のロープを配電柱等に交互に回しかけ、上移動または下移動できるものが考えられている（特許第６０５５５８２号公報）。ところが、右のロープの右端の連結箇所（容易着脱部）と左のロープの右端の連結箇所（困難着脱部）は接近しているため、右のロープの右端の連結箇所（容易着脱部）と左のロープの右端の連結箇所（困難着脱部）の両連結箇所の間に道具を係止したりして、装着体の外面などを有効に使うことができなかった。これはロープやその他の道具が邪魔になるためである。これは反対側の左側でも同様であった。
【課題を解決するための手段】
【０００５】
上記課題を解決するため、本発明の安全装置では、装着体の右側に取り付けられ、一方の容易着脱部及び他方の困難着脱部が着脱自在に連結される右側連結体と、上記装着体の左側に取り付けられ、上記他方の上記容易着脱部及び上記一方の困難着脱部が着脱自在に連結される左側連結体とを備えた。
【発明の効果】
【０００６】
これにより、一方の容易着脱部及び他方の困難着脱部が右側連結体の一箇所に連結され、他方の容易着脱部及び一方の困難着脱部が左側連結体の一箇所に連結されるので、それぞれの容易着脱部及び困難着脱部の間がロープなどで覆い隠されたり邪魔になることがなくなり、装着体の外面などを有効に使うことができる。
【図面の簡単な説明】
【０００７】
【図１】安全装置１の全体の斜視図を示す。
【図２】安全装置１の伸縮調節器９（１０）及びフック１６、１７（困難着脱部）の構造を示す。
【図３】安全装置１のフック１１（１２）（容易着脱部）を示す。
【図４】安全装置１の全体の概略図を示す。
【図５】安全装置１の使用状態を示す。
【図６】安全装置１の使用状態を示す。
【図７】安全装置１の右側連結体４１の安全帯２（装着体）への取り付け状態を示す。
【図８】安全装置１の右側連結体４１の形状を示す。
【図９】安全装置１の第二実施形態の右側連結体４１の安全帯２（装着体）への取り付け状態を示す。
【図１０】安全装置１の第二実施形態の右側連結体４１の形状を示す。
【符号の説明】
【０００８】
１…安全装置  ２…安全帯（装着体）
３…副帯（装着体）  ７…ロープ  ８…ロープ
９…伸縮調節器（左側）  １０…伸縮調節器（右側）
１１…フック（容易着脱部）（左側）
１２…フック（容易着脱部）（右側）
１３…帯通し  １４…バックル（固定部）
１５…収納器  １６…フック（困難着脱部）（左側）
１７…フック（困難着脱部）（右側）  １８…開閉部
２１…配電柱（柱状構造物）  ２２…ステップボルト
２３…障害物  ２４…掛止部材
２５…開閉部  ３１…ロープホルダー
３２…連結リンク  ３３…操作部
４１…右側連結体  ４２…左側連結体
４３…留め金具  ４４…縦穴
４５…基底辺  ４６…水平部
４７…傾斜部  ４８…傾斜部
４９…先端底辺  ５０…凹部
５１…肩掛けベルト  ５２…中底辺
５３…取付帯  Ｍ…作業者
【発明を実施するための形態】
【０００９】
（１）安全装置１の構造
図１は本発明の安全装置１全体の斜視図を示し、図４は本安全装置１を上から見た概念図を示す。この安全装置１は、配電柱等柱状の構造物の高所で作業する人が、墜落、落下するのを防止して、安全を確保するために使用するものである。安全装置１は、作業する人の腰部付近に装着される安全帯２及び副帯３と、上記柱状の構造物を周回し、両端がこの安全帯２及び副帯３の異なる位置に係止される２本のロープ７、８とを備えている。
【００１０】
安全帯２（装着体、周回体、帯体）は、幅数センチメートル、例えば４乃至５センチメートル、長さが作業者Ｍの腰の周回より長く、例えば１メートル２０センチメートルほどで、丈夫なナイロン、ポリエステル等の合成繊維でできている。この安全帯２は作業者Ｍの腰部に周回／巻回されて装着され、安全帯２の一方の端部には、アルミ製のバックル１４（固定部）が設けられ、このバックル１４に安全帯２の他の端が係合し、安全帯２が作業者Ｍの腰から離脱せずズレない。
【００１１】
この安全帯２内側に、この安全帯２より縦方向の幅が広く長さの短い副帯３（装着体、周回体、帯体）を備える。副帯３の幅は数センチメートル、例えば１０センチメートルほど、副帯３の長さは作業者Ｍの腰の周回より短く、例えば７０〜８０センチメートルほどであり、ナイロン、ビニロン、ウレタン等の丈夫で耐候性、耐久性のある合成繊維でできており、内部にパットが入っている。
【００１２】
この副帯３は安全帯２の内側に装着され、これにより作業する人の腰部が保護され、作業効率を上げることができる。副帯３の外面には、複数の帯通し１３…が縫合等によって固定され、この帯通し１３…を安全帯２が挿通されて、副帯３に安全帯２が連結され、副帯３も安全帯２とともに作業者Ｍの腰に周回され装着される。
【００１３】
上記複数の帯通し１３…のうち、２対の帯通し１３…にわたって、一対の肩掛けベルト５１、５１が架け渡されて、肩掛けベルト５１、５１の両端は、帯通し１３…付近で、副帯３の外面に縫合固定される。肩掛けベルト５１、５１は作業者Ｍの両肩に掛けられて、安全帯２（装着体）が腰部に安定的に保持される。
【００１４】
上記副帯３（装着体）または安全帯２には、右側連結体４１及び左側連結体４２が挿通されている。留め金具４３によって、上記安全帯２（装着体）において、右側連結体４１と左側連結体４２とは、ほぼ左右対称の位置に設けられている。この右側連結体４１及び左側連結体４２には、後述するロープ７、８の両端のフック１１、１２（容易着脱部）とフック１６、１７（困難着脱部）が係止される。
【００１５】
上記ロープ７、８の他端、つまりフック１１、１２（容易着脱部）が設けられた側と反対の他端には、ロープ７、８に対して伸縮調節器９、１０がスライド可能に取り付けられて、安全帯２及び副帯３からのロープ７、８の長さ／繰り出し量が調整される。この伸縮調節器９、１０に、上記フック１６、１７（困難着脱部）が連結され、このフック１６、１７が上記右側連結体４１または左側連結体４２に着脱脱自在に係合される。
【００１６】
（２）伸縮調節器９、１０及びフック１６、１７（困難着脱部）
図２は、伸縮調節器９、１０及びフック１６、１７（困難着脱部）の構造を示す。図２（ａ）は作業者Ｍの左側の伸縮調節器９を作業者Ｍの外側から見た状態を示す。右側の伸縮調節器９は、図２（ａ）の状態を左右線対称にした構造となる。なお、図２（ａ）は作業者Ｍの右側の伸縮調節器９を作業者Ｍの内側から見た状態を示すものであってもよい。
【００１７】
この伸縮調節器９、１０は、ステンレス等の金属製で、この伸縮調節器９、１０の端に連結された上記フック１６、１７は断面「Ｊ字状」で、フック１６、１７の根元に板状の開閉部２５、２５が回動可能／搖動可能に取り付けられる。この開閉部２５、２５は、外に向かってバネ付勢されて、これによりこの「Ｊ字状」の中を塞いでいる。この開閉部２５、２５のバネ付勢方向は、本安全装置１が装着されたときには、作業者Ｍの外側方向となる。
【００１８】
このフック１６、１７の開閉部２５、２５を押して、右側連結体４１または左側連結体４２を押しこむと、右側連結体４１または左側連結体４２の環がフック１６、１７内に入り込み、ロープ７、８の伸縮調節器９、１０のフック１６、１７が、安全帯２／副帯３の右側連結体４１または左側連結体４２に着脱自在に係合される。
【００１９】
図２（ｂ）に示すように、開閉部２５、２５の先端は、「Ｊ字状」の中に深く入り込んでいるので、右側連結体４１または左側連結体４２が通る隙間／遊びが小さく、フック１６、１７から右側連結体４１または左側連結体４２が外れにくい。
【００２０】
したがって、フック１６、１７と右側連結体４１または左側連結体４２とが安全帯２／副帯３（装着体）に装着された状態のときのフック１６、１７と右側連結体４１または左側連結体４２との間、つまり困難着脱部自身内の遊び／隙間は少なく、フック１６、１７は右側連結体４１または左側連結体４２から容易に外れない。なお、開閉部２５、２５はフック１６、１７内に向かって延出されてもよく、これにより、右側連結体４１または左側連結体４２が、開閉部２５、２５とフック１６、１７との間に挟まれない。
【００２１】
この伸縮調節器９、１０は、二つの金属部材を連結した構造になっている。下部の金属部材は、操作部３３となっており、操作部３３の端部に上記フック１６、１７（困難着脱部）が連結されている。上部の金属部材は、ロープ７、８が挿通される断面Ｕ字形のロープホルダー３１となっており、ロープホルダー３１と操作部３３とは、２つの連結リンク３２、３２で連結され、この連結リンク３２、３２の両端とロープホルダー３１及び操作部３３とは軸で連結されている。
【００２２】
これにより、ロープホルダー３１に対して操作部３３が、ロープ７、８の長手方向に沿って揺動可能となっている。そして、操作部３３をロープ７、８に沿って長手方向に移動させると、ロープ７、８がロープホルダー３１内を摺動し、ロープ７、８の長さ／繰り出し量が調節される。
【００２３】
なお、図示しないが、連結リンク３２、３２の先端には、ロープ７、８に当接及び離間可能なストッパーが設けられている。伸縮調節器９、１０が握られて、図２（ａ）でロープホルダー３１に対して操作部３３が左に動くと、操作部３３がロープホルダー３１に近づき、ストッパーがロープ７、８から離れ、ロープ７、８のスライド及び調整が可能となる。
【００２４】
伸縮調節器９、１０の握りが解除されて、図２（ａ）でロープホルダー３１に対して操作部３３が右に動くと、操作部３３がロープホルダー３１から離れ、ストッパーがロープ７、８に当接して、ロープ７、８が伸縮調節器９、１０に対して動かなくなる。
【００２５】
作業中には、ロープ７、８及びロープホルダー３１が安全帯２／副帯３に対して引っ張られるので、図２（ａ）でロープホルダー３１に対して操作部３３が右に動く状態となり、ストッパーが機能して、作業中にはロープ７、８の長さ／繰り出し量の調整は禁止される。
【００２６】
（３）容易着脱器１１、１２（容易着脱部）
図３は安全装置１のフック１１（１２）を示す。ロープ７、８のもう一端には、フック１１、１２（容易着脱部）が設けられている。フック１１、１２は、スチール製、同形同大で、図３に示すように、ナス環構造からなっている。ナス環の開閉部１８、１８はフック１１、１２の外方にバネ付勢されており、開閉部１８、１８が環の内側に開かれ、これにより、ナス環構造のフック１１、１２が開かれる。
【００２７】
このフック１１、１２の開閉部１８、１８を押して、右側連結体４１または左側連結体４２を押しこむと、右側連結体４１または左側連結体４２の環がフック１１、１２内に入り込み、ロープ７、８のフック１１、１２が、安全帯２／副帯３の右側連結体４１または左側連結体４２に着脱自在に係合される。
【００２８】
図３に示すように、開閉部１８、１８と、フック１１、１２のナス環の環部との間の隙間／遊びが大きいので、右側連結体４１または左側連結体４２が通る隙間／遊びが大きく、フック１１、１２から右側連結体４１または左側連結体４２を外し易い。
【００２９】
したがって、フック１１、１２と右側連結体４１または左側連結体４２とが安全帯２／副帯３（装着体）に装着された状態のときのフック１１、１２と右側連結体４１または左側連結体４２との間、つまり容易着脱部自身内の遊び／隙間は多く、フック１１、１２は右側連結体４１または左側連結体４２から外し易い。
【００３０】
この外し易いというのは、上記伸縮調節器９、１０のフック１６、１７と右側連結体４１または左側連結体４２との係合に比べてという意味であり、フック１１、１２が右側連結体４１または左側連結体４２から不用意に外れるという意味ではなく、安全性は保たれる。なお、「ナス環」は「茄子鐶」というが、便宜上「ナス環」の語を使う。
【００３１】
（４）右側連結体４１及び左側連結体４２
図７及び図８は上記安全帯２（装着体）に取り付けられている右側連結体４１及び左側連結体４２を示す。右側連結体４１は安全帯２（装着体）の右側に取り付けられ、左側連結体４２は安全帯２（装着体）の左側に取り付けられる。左側連結体４２は右側連結体４１と対称つまり同一の形状をなしているので、右側連結体４１を代表して説明する。
【００３２】
この安全帯２の右側連結体４１及び左側連結体４２が係合固定される箇所それぞれには、「横日」型の留め金具４３が挿通されている。留め金具４３は板状のバックル形状をしており、「横日」型で２つの縦穴４４、４４が形成され、この２つの縦穴４４、４４を、帯状の安全帯２が挿通している。
【００３３】
この縦穴４４、４４の間の安全帯２には、されに右側連結体４１が挿通されている。右側連結体４１は、ほぼ台形形状の枠状をしており、この台形枠の平行な二辺のうち長い方の下底にあたる基底辺４５で、右側連結体４１内に上記安全帯２が挿通されて安全帯２（装着体）に連結されている。
【００３４】
安全帯２を引っ張って緊縮すると、右側連結体４１の基底辺４５が留め金具４３に当接され、右側連結体４１及び留め金具４３が、安全帯２にしっかりと緊縮され、安全帯２に対して右側連結体４１が容易に移動しないよう動かないように固定される。
【００３５】
右側連結体４１の基底辺４５の上下両端はほぼ直角に折れ曲がり、上下平行に延びて水平部４６、４６が形成され、次いで先端に向かって斜めに傾斜し、上記安全帯２（装着体）側より先端に向かって細くなっていて、傾斜部４７、４８が形成されている。
【００３６】
この上下一対の傾斜部４７、４８は、上記安全帯２（装着体）側より先端に向かって下方の傾斜部４７が上へ向かって傾斜しており、上方の傾斜部４８が下へ向かって傾斜している。この下方の傾斜部４７には、上記フック（困難着脱部）１６または／及び（困難着脱部）１７が着脱自在に係合される。
【００３７】
右側連結体４１には、配電柱（柱状構造物）２１を周回して一方の右側のフック（困難着脱部）１７が着脱自在に係合され、左側連結体４２には、配電柱（柱状構造物）２１を周回して他方の左側のフック（困難着脱部）１６が着脱自在に係合される。
【００３８】
水平部４６、４６または傾斜部４７、４８の直線状の水平または傾斜の長さは、フック（困難着脱部）１６、１７の幅、長さより長いので、フック（困難着脱部）１６、１７は、水平部４６、４６または傾斜部４７、４８に安定して係合、係合位置が不用意に動かず作業者Ｍの作業に都合がよい。
【００３９】
ただし、ロープ７、８に体重を掛けたときには、フック（困難着脱部）１６、１７は、傾斜部４７、４８に位置し、ロープ７、８に体重を掛けないときには、フック（困難着脱部）１６、１７は、水平部４６、４６に移動することもある。
【００４０】
右側連結体４１の先端は、上記傾斜部４７、４８から互いに合流するように折れ曲がり、合流して縦向きの先端底辺４９が形成されている。傾斜部４７、４８が傾斜しているので、先端底辺４９は上記基底辺４５より短い。したがって、先端底辺４９の長さが短くなり、後述するフック（容易着脱部）１１、１２の移動範囲が小さくなり、作業者Ｍの作業に都合がよい。
【００４１】
この先端底辺４９の中央内側は湾曲している、つまり上記安全帯２（装着体）側から突出した先端は、内側に向かって湾曲している。この湾曲によって、凹部５０が形成されている。この先端底辺４９には、上記フック（容易着脱部）１１または／及びフック（容易着脱部）１２が着脱自在に係合される。
【００４２】
右側連結体４１には、配電柱（柱状構造物）２１を周回して他方の左側のフック（容易着脱部）１１が着脱自在に係合され、左側連結体４２には、配電柱（柱状構造物）２１を周回して一方の右側のフック（困難着脱部）１２が着脱自在に係合される。
【００４３】
先端底辺４９には凹部５０があるので、係合しているフック（容易着脱部）１１、１２は不容易に移動せず、凹部５０に安定し易いので係合位置が不用意に動かず作業者Ｍの作業に都合がよい。先端底辺４９は、上記フック（困難着脱部）１６、１７の幅、長さより小さい。
【００４４】
これにより、フック（困難着脱部）１６、１７が先端底辺４９まで移動することが少なくなり、作業者Ｍの作業でフック（困難着脱部）１６、１７とフック（容易着脱部）１１、１２とを区別し易くなる。なお、先端底辺４９はフック（困難着脱部）１６、１７の幅、長さより大きくてもよい。
【００４５】
先端底辺４９と傾斜部４７のなす角度、折り曲げスペースが、フック（困難着脱部）１６、１７を通過させない角度、内部スペースでもよい。フック（困難着脱部）１６、１７が、傾斜部４７から水平部４６または先端底辺４９へ移動するのに要は困難があればよい。なお、場合によって、このような困難はなくてもよい。
【００４６】
ロープ７のフック（困難着脱部）１６とフック（容易着脱部）１１とは入れ替えて向きを変え、同じくロープ８のフック（困難着脱部）１７とフック（容易着脱部）１２とは入れ替えて向きを変えても同様のことができる。
【００４７】
このように、右側連結体４１は、上記安全帯２（装着体）の右側に取り付けられ、上記一方のフック（容易着脱部）１１及び上記他方のフック（困難着脱部）１７が着脱自在に連結され、左側連結体４２は、上記安全帯２（装着体）の左側に取り付けられ、上記他方の上記フック（容易着脱部）１２及び上記一方のフック（困難着脱部）１６困難着脱部が着脱自在に連結される。
【００４８】
上記右側連結体４１と左側連結体４２とは、同一形状で、扁平で凹凸が無く、表裏で同一形状である。これにより、右側連結体４１と左側連結体４２とを装着するとき、右側連結体４１と左側連結体４２とを区別する必要が無くなり、安全帯２（装着体）を装着する手間がかからない。また、右側連結体４１（左側連結体４２）を装着するとき、右側連結体４１（左側連結体４２）の表裏を区別する必要が無くなり、安全帯２（装着体）を装着する手間がかからない。
【００４９】
右側連結体４１（左側連結体４２）は、扁平で凹凸が無かったが、湾曲していてもよく、表裏で同一形状ではなく、表裏で形状が異なっていてもよく、右側連結体４１（左側連結体４２）の中央に向かってまたは周縁に向かって膨らんでいてもよいし、凹凸があってもよい。この場合、右側連結体４１（左側連結体４２）の表裏を区別する必要は生じる。
【００５０】
（５）安全装置１全体の平面
図４は安全装置１全体の概略図を示す。図４は安全装置１を上から見た状態を示す。図４に示すように、伸縮調節器９、１０のフック１６、１７（困難着脱部）を、上記安全帯２／副帯３から外すときの操作位置、つまり開閉部２５、２５は、上記安全帯２／副帯３またはフック１６、１７自身で隠されている。
【００５１】
したがって、フック１６、１７が右側連結体４１または左側連結体４２から容易に外れなくなる。このため、ロープ７、８のフック１６、１７側の端部は、作業中に不用意に安全帯２／副帯３から外れることがなく、安全となる。
【００５２】
また、開閉部２５、２５とフック１６、１７との間に右側連結体４１または左側連結体４２が挟まれて、開閉部２５、２５が動かなくなり、開閉部２５、２５の解除が禁止され作動しなくなることもある。この場合でも、フック１６、１７が右側連結体４１または左側連結体４２から容易に外れない。
【００５３】
なお、上述のように、開閉部２５、２５がフック１６、１７内に向かって延出されている場合には、この延出部が安全帯２／副帯３に当接して、開閉部２５、２５の解除が禁止され作動しなくなる。この場合でも、フック１６、１７が右側連結体４１または左側連結体４２から容易に外れない。
【００５４】
この伸縮調節器９、１０を、ロープ７、８に沿って長手方向に移動させ、これにより、フック１１、１２（容易着脱部）とフック１６、１７（困難着脱部）との間の長さ／繰り出し量を調節することができる。したがって、ロープ７、８が周回する配電柱２１（柱状構造物）の大きさ、作業する人の作業のしやすさに合わせて、ロープ７、８及び安全帯２／副帯３によって形成される、ループ長・周回長の長さ（図４参照）を調節することができる。
【００５５】
また、右側連結体４１または左側連結体４２は、安全帯２／副帯３を作業者Ｍが装着した状態で、安全帯２／副帯３上の作業する人の身体の左右のほぼ真横乃至横斜め前に位置する。つまり、２本のロープ７、８の２つのフック１６、１７（困難着脱部）は、上記作業する人の左右逆の対称の位置に設けられる。
【００５６】
なお、ロー７とロープ８とを入れ替え、左の伸縮調節器９及びフック１６と右の伸縮調節器１０及びフック１７とを入れ替えてもよい。これにより、開閉部２５、２５が作業者Ｍの内側に向き、安全帯２／副帯３側に向いて、開閉部２５、２５が安全帯２／副帯３で隠されて、しかも開閉部２５、２５の外側もフック１６、１７で隠される。したがって、伸縮調節器９、１０のフック１６、１７が右側連結体４１または左側連結体４２から容易に外れなくなり、安全となる。
【００５７】
右側連結体４１または左側連結体４２は、図４に示すように、バックル１４を締め安全帯２／副帯３を装着した状態では、作業する人の体の中心に対してほぼ左右対称に位置する。そして、上記２本のロープ７、８の２つのフック１１、１２（容易着脱部）は、作業する人の左右逆の位置に設けられる。
【００５８】
図４に示すように、作業者Ｍに安全帯２／副帯３を装着した状態では、左側のフック１６（困難着脱部）から延びるロープ７は、配電柱２１を周回して、安全帯２のバックル１４の右側に設けられた右側連結体４１に端部のフック１１が係止される。
【００５９】
同じく図４に示すように、作業者Ｍに安全帯２／副帯３を装着した状態では、右側のフック１７（困難着脱部）から延びるロープ８は、配電柱２１を周回して、安全帯２のバックル１４の左側に設けられた右側連結体４１に端部のフック１２が係止される。
【００６０】
なお、作業の途中では、例えば配電柱２１を上下するとき、障害物２３をこえるときなどには、ロープ７の両端部であるフック１６（困難着脱部）、フック１１（容易着脱部）とも左側の左側連結体４２に一時的に係合されることもある。また、作業の途中では、例えば配電柱２１を上下するとき、障害物２３をこえるときなどには、ロープ８の両端部であるフック１７（困難着脱部）、フック１２（容易着脱部）とも右側の右側連結体４１に一時的に係合されることもある。
【００６１】
このとき、左側の左側連結体４２に一時的に係合されるフック１１（容易着脱部）は、先端底辺４９の凹部５０ではなく、左側の水平部４６に一時的に係止される。同様に、右側の右側連結体４１に一時的に係合されるフック１２（容易着脱部）は、先端底辺４９の凹部５０ではなく、右側の水平部４７に一時的に係止される。
【００６２】
このとき１つの左側連結体４２または右側連結体４１に２つのフック１１、１２（容易着脱部）が係合されるが、フック１１、１２の係合位置が異なるので、フック１１とフック１２とを間違えてしまうことがない。この場合、左のフック１１（容易着脱部）、左のフック１６（困難着脱部）、左のロープ７と、右のフック１２（容易着脱部）、右のフック１７（困難着脱部）、右のロープ８とは、色が異なっている。
【００６３】
つまり、上記一方のロープ７並びにこのロープ７の両端のフック１６（困難着脱部）及びフック１１（容易着脱部）と、上記他方のロープ８並びにこのロープ８の両端のフック１２（容易着脱部）及びフック１７（困難着脱部）１７とは、色が異なっている。
【００６４】
これにより、同じ左側連結体４２に一時的に係止されている２つのフック１１、１２（容易着脱部）のうち、左側連結体４２に連結されているフック１６（困難着脱部）と同じ色のフック１１（容易着脱部）を外して右側連結体４１に連結すればよい。同じく同じ右側連結体４１に一時的に係止されている２つのフック１１、１２（容易着脱部）のうち、右側連結体４１に連結されているフック１７（困難着脱部）と同じ色のフック１２（容易着脱部）を外して左側連結体４２に連結すればよい。
【００６５】
これにより、両ロープ７、８ともに配電柱（柱状構造物）２１からはずれてしまうことがなくなり、必ずロープ７、８のうちすくなくとも一方が配電柱（柱状構造物）２１を周回し安全を担保できる。また、フック１２（容易着脱部）とフック１６（困難着脱部）との間、フック１１（容易着脱部）とフック１７（困難着脱部）との間に安全帯２／副帯３が無くなりまたはロープ７、８で覆い隠されず、安全帯２／副帯３外面を有効に使用できる。
【００６６】
また、上記フック１１、１２（容易着脱部）を、上記安全帯２／副帯３から外すときの操作位置、つまり開閉部１８、１８はどこにも隠れず、フック１１、１２の下方に常に露出しており、開閉部１８、１８の作動は上記開閉部２５、２５のように妨害されることもない。これにより、フック１１、１２は右側連結体４１または左側連結体４２から外し易くなり、作業効率が向上する。
【００６７】
この外し易いというのは、上記伸縮調節器９、１０のフック１６、１７と右側連結体４１または左側連結体４２との係合に比べてという意味であり、フック１１、１２が右側連結体４１または左側連結体４２から不用意に外れるという意味ではなく、安全性は保たれる。
【００６８】
また、２本のロープ７、８は、安全帯２／副帯３上の作業する人の身体の中心線に対しほぼ左右対称の位置に係止されるので、後述するように、配電柱２１上の障害物２３をかわして昇降する場合に、ロープ７、８のフック１１、１２を一旦外して、再び、安全帯２／副帯３の右側連結体４１または左側連結体４２に係止する際に、着脱すべき落下防止ロープの順番を間違えことがなくなる。
【００６９】
ロープ７、８は、丈夫なナイロン製で、三本のストランドで構成された三つ打ち構造となっており、内部に芯を備えている。長さは、最大で３メートルほどである。上述したように、ロープ７、８のそれぞれの一端にはフック１１、１２（容易着脱部）が設けられ、他端には、伸縮調節器９、１０を介してフック１６、１７（困難着脱部）が設けられている。
【００７０】
つまり、ロープ７、８は、柱状の構造物を周回し、両端が上記安全帯２／副帯３の異なる位置に着脱自在に係止される。図４に示すように、安全帯２／副帯３の作業者Ｍの背中側には、作業に必要な工具等を収納する収納部１５を備えていてもよい。
【００７１】
（６）安全装置の使用状態
図５、図６は、本発明による安全装置１の使用状態を示す。以下に、図５、図６を参照して、本発明の安全装置１の具体的な使用状態を説明する。作業する人Ｍは、副帯３を内側にして安全帯２／副帯３を腰部に周回し、バックル１４で腰部から離脱しないようにしっかりと固定する。そして、作業者Ｍの左側のフック１６から延びるロープ７を左側から時計回りに配電柱２１を周回させ／巻き付け、伸縮調節器９でロープ７の長さを調節しながら、ロープ７の一端に設けられたフック１１を安全帯２／副帯３の右側の右側連結体４１に係合する。
【００７２】
つぎに、作業者Ｍの右側の右側連結体４１に係合されるフック１７（困難着脱部）から延びるロープ８は、配電柱２１を周回させずに、他端に設けられたフック１２を同じ右側連結体４１に係合しておき使わない。ロープ７、８先端のフック１１、１２を一時的に外したときに、外したフック１１、１２を垂下した状態のままにしておくと、作業及び昇降の際に邪魔になり、ロープ７、８先端が作業者Ｍの身体の一部または配電柱２１に絡まることがある。しかし、使わないロープ７、８のフック１１、１２を、配電柱２１を周回しないで右側連結体４１（左側連結体４２）に係合しておけば、これを防ぐことができる。
【００７３】
上記状態で、作業者Ｍは、ステップボルト２２…を手で掴み、あるいは足を順にかけながら、ロープ７のみを配電柱に周回させたまま、配電柱２１を昇っていく。作業者Ｍが降柱する場合にも、同様にロープ７のみを配電柱に周回させたまま降柱する。このとき、ロープ８は両端のフック１２、１７を右側連結体４１に係合させ垂下させて使わない状態となる。この使わないロープ８は、作業者Ｍの前には無く後ろ側に位置し、作業者Ｍの作業や昇降の邪魔にならない。このとき、ロープ７は配電柱２１に周回させたままで安全である。
【００７４】
また、図６は、作業者Ｍが障害物２３を通過して昇柱する際の使用状態を示す。障害物２３は配電柱２１の外に突出して昇降の障害になるものである。作業者Ｍが、配電柱２１上の障害物２３のところまで昇った時点で、使わなかったロープ８のフック１２を右側の右側連結体４１からはずし、ロープ８を障害物２３より上方で配電柱２１を周回させ／巻き付け、フック１２を左側連結体４２に係止する。この場合、左側連結体４２を目で確実に確認できるので、フック１２の架け間違えがない。これは、左右逆の場合の、ロープ７のフック１１を右側連結体４１に係止する場合でも同じである。
【００７５】
次に、下側のロープ７先端のフック１１（容易着脱部）を、安全帯２／副帯３に設けられた右側連結体４１から外して左に回し、ロープ７の配電柱２１の周回を解除する。そして、フック１１を左側の左側連結体４２に係合させてロープ７を垂下させて使わない、あるいは収納部１５に収納しておき、配電柱２１のステップボルト２２…を上る。つまり、ロープ８一本を配電柱２１に周回させた状態で昇柱する。このとき、右側連結体４１及び左側連結体４２は、作業者Ｍの左右逆の位置に設けられているため、フック１１、１２の係止位置を間違えることはない。
【００７６】
以上のようにすれば、障害物２３を超えて、配電柱２１を上る場合にも、２本のロープ７、８の係止位置を取り違えることないため、安全に障害物２３を回避して越えられる。
【００７７】
この場合、２本のロープ７、８とも、配電柱２１上の係止部２４などに係止させることなく、配電柱２１を周回させて、障害物２３を回避して越えられる。このため、ロープ７、８が、作業者Ｍの前に垂直方向に張られることがないため、作業の邪魔にならないし、昇降の邪魔にもならない。さらに、配電柱２１上の障害物２３をかわすためロープをかけかえるときも、一本のロープは配電柱２１に周回された状態であるため、作業者Ｍが配電柱２１にしがみつく必要がなく、両手が自由になって作業効率が向上し、安全で素早くロープのかけかえができる。
【００７８】
なお、場合によって、ロープ７、８のフック１１、１２を係止部２４に係止させてもよい。この場合、ロープ８を配電柱２１に周回させる前、ロープ８を配電柱２１に周回させた後に、ロープ７を緩めた時に、ロープ７を外す前、またはロープ７を外した後に、ロープ８のフック１２を係止部２４に係止させてもよい。
【００７９】
さらに通常の昇降のときでも、または配電柱２１での作業のときに、垂下させて使っていないロープ８のフック１２を係止部２４に係止することもできる。これにより、より安全となる。この場合、作業をしやすくするため、両方のロープ７の周回も解除することもできる。
【００８０】
なお、障害物２３を越えるとき、使っていないロープ８のフック１２を係止部２４に係止し、周回しているロープ７の周回を解除して、障害物２３を乗り越えてロープ７を周回し直すことも可能ではある。しかし、これでは、作業者Ｍは、係止部２４に係止される１本のロープ８だけで吊り下がっているので、体を安定させるため、片手または両手で配電柱２１をつかんでいなくてはならず、両手が自由にならない。
【００８１】
これに対して、上記のようにロープ７、８を架け替えすれば、両手が自由になり、作業効率が向上し、より安全になる。また、係止部２４を使うような場合には、常に係止部２４があるとは限らず不便であるし、係止部２４と間違えて、ステップボルト２２にフック１１、１２を係止してしまうかもしれない。ロープ７、８を配電柱２１に周回させて架け替えすれば、このような過誤はない。
【００８２】
障害物２３をかわして配電柱２１を降りる場合も、フック１１、１２（容易着脱部）のうち右側連結体４１または左側連結体４２に係合されている方のフックを外し、障害物２３より下方で配電柱２１を周回して、安全帯／副帯３の右側連結体４１または左側連結体４２に係止すれば、同様に、安全に降柱することができる。以上の障害物２３の回避は、ロープ７と８との上下関係が入れ替わって、障害物２３の下にロープ８があり、障害物２３の上にロープ７を配置する場合でも同様に可能である。
【００８３】
上記障害物２３を越えるとき、上下のロープ７、８のフック１１、１２（容易着脱部）が左右逆になるため、２本のロープ７、８を左右で区別／右手と左手とで区別できる。このように左右で区別できるため、障害物２３を越えるため配電柱２１にいったん周回させたロープを再び誤って外してしまうことがなく、両方のロープを同時に装着体から外してしまうこともなくなる。
【００８４】
上記障害物２３の断面の大きさは配電柱２１を周回するロープ７、８の周回面積より小さい、または障害物２３の配電柱２１からの延びる長さは、周回するロープ７、８の配電柱２１からの最大の離間長さより小さい。しかし、障害物２３の大きさはこれらの逆の大きいものでもよい。
【００８５】
このような小さい障害物２３を越えるときでも、２本のロープ７、８の周回の架け替えが行われてもよい。このような小さい障害物２３を越えるときには、ロープ７、８の周回の架け替えが行われず、周回しているロープ７、８をそのまま障害物２３を乗り越えてさせてもよい。このような架け替えを行わない場合、乗り越えるロープ以外のロープを配電柱２１に周回させてもよいし、周回させなくてもよい。
【００８６】
（７）第二実施形態
図９及び図１０は安全装置１の第二実施形態を示す。上記基底辺４５と平行に中底辺５２が設けられており、この中底辺５２は、水平部４６、４６を架け渡すように設けられている。上記安全帯２（装着体）は、中底辺５２の外側を挿通しており、中底辺５２を副帯３（装着体）に押し付けて固定している。
【００８７】
基底辺４５は、副帯３（装着体）外面に、取付帯５３によって取り付けられ固定されている。取付帯５３は、両端を副帯３（装着体）に縫合されて固定されている。第二実施形態では、留め金具４３が不用となり、右側連結体４１及び左側連結体４２をしっかりと副帯３（装着体）に固定できる。上記第一実施形態では、副帯３（装着体）に対して、右側連結体４１及び左側連結体４２を移動させることができる。
【００８８】
上述の各実施形態及びこれらの変更形態において、当該実施形態で記載されていないことは、他の実施形態の記載されている内容が参照または引用されるし、本実施形態の記載内容も上記第一実施形態にも記載されているものである。本願明細書及び請求の範囲においては、上記複数の実施形態にわたって、構成、動作、作用、工程または機能の各部または一部を入れ替えた実施形態も、上記各実施形態として記載されているものである。
【００８９】
(８)他の実施の形態
本発明は、上記実施形態に限定されず、種々変更可能である。例えば、傾斜部４７及び傾斜部４８は先端底辺４９に向かって互いに近づくのではなく、互いに遠ざかるように形成されてもよいし、互いに平行であってもよい。傾斜部４７及び傾斜部４８は、基底辺４５に対して直角ではなく、斜めに突出していてもよい。
【００９０】
基底辺４５、水平部４６、傾斜部４７、傾斜部４８、先端底辺４９は、直線状のほか、湾曲したり、シグザグ状、波状、鋸歯状、螺旋状などでもよい。中底辺５２は、もっと多く、右側連結体４１及び左側連結体４２の中に２本以上形成されてもよいし、網状になってもよい。中底辺５２は、基底辺４５に平行のほか、斜め、垂直でもよい。
【００９１】
右側連結体４１、左側連結体４２は、同一形状ではなく、異なる形状でもよく、扁平ではなく凹凸があってもよく、立体的でもよく、表裏で異なる形状でもよい。右側連結体４１と左側連結体４２とは、安全帯２（装着体）の左右対称の位置ではなく、左右対称の位置からずれた位置に設けられてもよい。
【００９２】
左のフック１１（容易着脱部）、左のフック１６（困難着脱部）、右のフック１２（容易着脱部）、右のフック１７（困難着脱部）は、右側連結体４１または左側連結体４２に連結されたとき、それぞれの間を仕切る、中底辺５２のような仕切りが一部または全部に設けられてもよい。
【００９３】
左のフック１１（容易着脱部）、左のフック１６（困難着脱部）、左のロープ７、右のフック１２（容易着脱部）、右のフック１７（困難着脱部）、右のロープ８の一部または全部の色は同じまたは近似してもよいし、互いに補色、異なる色でもよい。
【００９４】
フック１１（容易着脱部）、フック１２（容易着脱部）は、フック１６（困難着脱部）、フック１７（困難着脱部）より幅が狭く細かったが、逆に幅が広くて太くてもよい。フック１１、フック１２（容易着脱部）、フック１６、フック１７（困難着脱部）の形状は上記のものに限られず、着脱自在に連結できれば、どのような形状でもよい。
【００９５】
ロープは２本であったが、３本以上であってもよい。また２本のロープが作業者Ｍの後方、つまり図４の下のロープ７と８の先端どうしでつながって１本となっていてもよい。ロープ７、８の長さは３メートルほどであったが、通常の配電柱を周回できる程度の長さであれば、これより長くても短くてもよい。また、ショックアブソーバー付きの平ロープや、素材自体が伸縮性を持ったロープを使用してもよい。
【００９６】
ロープ７、８、安全帯２、副帯３、帯通し１３、収納器１５、肩掛けベルト５１、５１、取付帯５３の素材は、ナイロン製であったが、ポリエステル、ポリエチレン、ビニロン、アラミド、クレモナ（ビニロン、ポリエステルの混紡糸、クラレの製品、商標）等の合成繊維製、木綿、麻等の天然繊維製、ガラス繊維製、金属繊維、金属ワイヤー等人の体重を支えられる程度の強度を持つ素材であり、耐候性、耐久性に優れた素材であれば何でもよい。絶縁性のロープであれば、更に好ましい。
【００９７】
上記実施形態では、ロープ７、８は三つ打ちであったが、八つ打ちでも、縒りロープでも網ロープでもよいし、ロープの芯はあってもなくてもよいし、ロープ７、８は、テープ状、帯状、網状、紐状、折り尺状、可撓性の少ない環状体、幅の太いものなど、配電柱２１を周回して係止できれば、なんでもよい。
【００９８】
ロープ７、８のフック１６、１７（困難着脱部）の着脱位置、つまり右側連結体４１または左側連結体４２は、安全帯２／副帯３の前側／横／後ろ側など、どこに設けられてもよい。右側連結体４１または左側連結体４２が身体の前方に来ていると作業の邪魔になるが、着脱操作はし易い。フック１１、１２（容易着脱部）の着脱位置は、つまり右側連結体４１または左側連結体４２は、作業者Ｍの左右対称の位置にあったが、安全帯２／副帯３の前側／後ろ側／横側など、どこに設けられていてもよい。
【００９９】
これらの着脱位置は左右線対称の位置にあったが、対称の位置に限られず、互いに左右線対称の位置からずれていてもよい。また、右のフック１７と右のフック１１とは、安全帯２／副帯３の同じ位置に着脱自在に連結されてもよく、左のフック１６と左のフック１２とは、安全帯２／副帯３の同じ位置に着脱自在に連結されてもよい。
【０１００】
安全帯２／副帯３は、ナイロン製であったが、丈夫で耐候性、耐久性に優れた素材なら他の合成繊維製でもでもよいし、布製でもよい。絶縁性であることが更に好ましい。副帯３の素材も同様に、丈夫で耐候性、耐久性に優れた素材なら合成繊維製でも布製でもどんな素材でもよい。
【０１０１】
パットが入っていれば、更に、腰部が保護されるが、なくてもよい。また、副帯３の縦方向の幅は、安全帯２より広かったが、同じ幅でも、これより狭くてもよい。長さも安全帯２より短かったが、同じ長さでも、これより長くてもよい。また、副帯３はなくてもよい。
【０１０２】
安全帯２／副帯３は、腰部のみを周回する腰ベルトタイプものであったが、腰部の他に腿や肩にもベルトを通し、全身を保持するハーネスタイプの安全帯または副帯であってもよいし、腹巻などの幅の太い帯状の物や、チョッキ状などの服装状でもよく、取り付けられる位置は腰部のほか、腹部、胸部、大腿部、肩部、背中部、脇部などに取り付けられてもよい。
【０１０３】
収納部１５は、ナイロン製であったが、丈夫で、耐候性、耐久製のある素材であれば、布製でも、何でもよい。作業者Ｍの背中側にあったが、安全帯２／副帯３のどこにあってもよい。また、収納部１５は、なくてもよい。
【０１０４】
安全帯２／副帯３に縫着される環状部材の数は４つであったが、これより多くても少なくてもよい。フック１１、１２、環状部材ともスチール製であったが、アルミ等その他の金属製でも、強度があれば、金属以外の素材であってもよい。
【０１０５】
ロープ７、８先端と安全帯２／副帯３は、ナス環等開閉可能な環と右側連結体４１または左側連結体４２の閉鎖環とで係合されるものであったが、これ以外にも、たとえば、ロープ７、８先端を安全帯２／副帯３に縛りつけるものでもよいし、互いに係合可能であれば強力な磁石等どんなものでもよい。同様に、フック１６、１７は右側連結体４１または左側連結体４２と係合されるものであったが、これ以外にも、互いに係合可能であればどんなものでもよい。
【０１０６】
伸縮調節器９、１０は、操作部３３が下部に設けられ、ロープ７、８が挿通するロープホルダー３１が上部に設けられているが、ロープホルダー３１が下部に、操作部３３が上部に設けられたタイプのものでもよいし、まったく異なった形状のものでもよい。伸縮調節器９、１０はなくてもよい。
【０１０７】
上記、安全装置１は、配電柱２１で作業、昇降する際に用いられているが、配電柱２１は、コンクリート製でも木製でも金属製でもよい。また、配電柱以外にも森林、公園などの樹木といった自然物、通信塔、鉄塔、ポール、雨樋等他の柱状の人工物などの物体、構造物上で作業、昇降する際に、本安全装置１が用いられてもよい。
【０１０８】
配電柱２１は円柱のほか、角柱、円錐、角錐、凹凸のある柱状のものでもよい。障害物２３、ステップボルト２２、掛止部材２４はあっても無くてもよいし、配電柱２１の表面にその他の形状の障害物、例えばステップ、電線、碍子、電気機器、はしご、枝、巣箱、掛止部材があってもよい。また、ロープ先端のフック１１、１２が構造物の一部に係止可能であれば、そのような構造物の高所で作業する場合にも、使用することができる。
【０１０９】
フック１１、１２、フック１６、１７は、「ナス環構造」「Ｊ字状構造」に限られるものではなく、丸環、角環、Ｖ環、Ｂ環、Ｄ環等何でもよい。なお、丸環、Ｖ環、Ｂ環とは、それぞれ、円形、三角形、アルファベット大文字のＢに類似した形状の環を意味する。フック１１、１２、フック１６、１７は、フック及びホック、面ファスナー、線ファスナー、ボルト及びナット、ボタン、ねじ、接着剤、接着テープ、磁石のほか、上記バックル１４（固定部）と同様のものなど、着脱できればなんでもよい。
【０１１０】
バックル１４（固定部）は、作業する人の胴体に固定できれば、フック及びホック、面ファスナー、線ファスナー、ボルト及びナット、ボタン、ねじ、接着剤、接着テープ、磁石のほか、上記フック１１、１２、１６、１７と同様のものなどなんでもよい。
【０１１１】
なお、墜落とは地上まで落ちることをいい、落下とは途中まで落ちることをいう。本発明の落下には、これら途中までの場合と地上までの場合とずれ落ちる場合などすべてを含むが、本発明の安全装置も従来の安全装置も、このような落下をすべて防止・阻止するものである。
【０１１２】
安全装置１、安全帯２、副帯３、ロープ７、ロープ８、伸縮調節器９、伸縮調節器１０、フック（容易着脱部）１１、フック（容易着脱部）１２、帯通し１３、バックル（固定部）１４、収納器１５、フック（困難着脱部）１６、フック（困難着脱部）１７、開閉部１８、配電柱２１、ステップボルト２２、障害物２３、掛止部材２４、開閉部２５、ロープホルダー３１、連結リンク３２、操作部３３右側連結体４１、左側連結体４２、留め金具４３、縦穴４４、４４、基底辺４５、水平部４６、傾斜部４７、傾斜部４８、先端底辺４９、凹部５０、肩掛けベルト５１、５１、中底辺５２、取付帯５３の一部または全体は省略されてもよいし、その数が増えても減ってもよいし、一つ、単体でも複数でもよく、その形状は任意に変更可能であり、均等の他の物に置き換えられてもよいし、これらの２つまたは３つ以上が合体または一体化されて兼用されてもよいし、他のものがさらに付加・積層・混合されてもよいし、それぞれの寸法は上記以外でもよいし、それぞれの寸法の相対的大小は切り換えられてもよいし同じでもよいし、その材質は金属製、樹脂製、繊維製、布製、金属製、木製、集成材製、合成材製、合板製、竹製、ガラス製、綿製、糸製、ゴム製、紙製、セラミック製、カーボン製、硬質ウレタン製、これらの合成物製／混合物製／多層積層物製でもよい。
【０１１３】
（９）他の発明の効果
以下の他の発明の効果及び本明細書の中の落下、墜落といった事故の防止、その他の危険の防止の効果は、従来技術に対するというものではなく、高所での作業という一般論として落下、墜落の事故が起きるかもしれないということに対するものである。
［１］柱状の構造物で作業する人の腰部付近に装着される装着体と、  この装着体の所定位置に設けられ、当該装着体を腰部に離脱しないように固定する固定部と、  上記柱状の構造物を周回し、両端が上記装着体に着脱自在に係止される、少なくとも２本のロープと、  この少なくとも２本のロープのそれぞれの一端には容易着脱部が設けられ、他端には困難着脱部が設けられ、  この困難着脱部を上記装着体から外すときの操作位置が上記装着体または困難着脱部自身で隠されるまたは困難着脱部が作動しなくなって容易に外すことができず、  上記容易着脱部を上記装着体から外すときの操作位置が隠されずまたは容易着脱部の作動が妨害されず容易に外すことができるものであり、  当該少なくとも２本のロープのそれぞれの容易着脱部は、上記装着体の左右逆の位置に設けられ、  この少なくとも２本のロープのそれぞれの困難着脱部は、上記装着体の左右逆の位置に設けられ、  これら容易着脱部と困難着脱部とは、  この容易着脱部が上記装着体の右側に係止されれば、この困難着脱部は上記装着体の左側に係止され、  当該容易着脱部が上記装着体の左側に係止されれば、当該困難着脱部は上記装着体の右側に係止され、  上記装着体の右側に取り付けられ、上記一方の容易着脱部及び上記他方の困難着脱部が着脱自在に連結される右側連結体と、  上記装着体の左側に取り付けられ、上記他方の上記容易着脱部及び上記一方の困難着脱部が着脱自在に連結される左側連結体と、を備えたことを特徴とする安全装置。
【０１１４】
［２］上記右側連結体と上記左側連結体とは、上記装着体側から突出した先端は、内側に向かって湾曲していることを特徴とする請求項１記載の安全装置。これにより、突出した先端に容易着脱部場合によって困難着脱部が係止されたとき、容易着脱部または困難着脱部が安定し、右側連結体または左側連結体内を容易着脱部または困難着脱部が容易に動かない。
【０１１５】
［３］上記右側連結体と上記左側連結体とは、上記装着体側より先端に向かって細くなっていることを特徴とする請求項２記載の安全装置。これにより、左側連結体または右側連結体の先端に向かって、容易着脱部または困難着脱部が動く範囲が狭くなり、容易着脱部または困難着脱部が安定し、右側連結体または左側連結体内を容易着脱部または困難着脱部が容易に動かない。特に、作業者が柱状の構造物から離れるようにもたれた時、容易着脱部または困難着脱部が安定し、右側連結体または左側連結体内を容易着脱部または困難着脱部が容易に動かない。
【０１１６】
［４］上記右側連結体と上記左側連結体とは、上記装着体側より先端に向かって下方が上へ向かって傾斜していることを特徴とする請求項３記載の安全装置。容易着脱部または困難着脱部が幅広のとき、作業者が柱状の構造物から離れるようにもたれた時、容易着脱部または困難着脱部が安定し、右側連結体または左側連結体内を容易着脱部または困難着脱部が容易に動かない。
【０１１７】
［５］上記右側連結体と上記左側連結体とは、同一形状で、扁平で凹凸が無く、表裏で同一形状であることを特徴とする請求項４記載の安全装置。これにより、右側連結体と左側連結体とを区別する必要が無くなり、安全装置を組み立てる作業が容易になり、右側連結体と左側連結体とにつき用意する部品点数を細かく注意する不要が無くなる。
【０１１８】
［６］上記右側連結体と上記左側連結体とは、上記装着体において、ほぼ左右対称の位置に設けられていることを特徴とする請求項５記載の安全装置。右側連結体にかかる力と左側連結体にかかる力とがバランスがとれ安全装置を使った作業が安定する。
【０１１９】
［７］上記一方のロープ並びにこのロープの両端の困難着脱部及び容易着脱部と、上記他方のロープ並びにこのロープの両端の困難着脱部及び容易着脱部とは、色が異なっていることを特徴とする請求項６記載の安全装置。これにより、一方の容易着脱部または困難着脱部と、他方の容易着脱部または困難着脱部とを区別しやすい。
【産業上の利用可能性】
【０１２０】
障害物２３を越えるときロープ７とロープ８とを架け替えて、配電柱等の高所で作業する人の安全を確保する。安全帯２／副帯３の左右に右側連結体４１及び左側連結体４２が固定され、右側連結体４１の傾斜部４７に、ロープ８のフック（困難着脱部）１７が連結され、右側連結体４１の先端底辺４９の凹部５０にロープ７のフック（容易着脱部）１１が連結される。
【０１２１】
左側連結体４２の傾斜部４７に、ロープ７のフック（困難着脱部）１６が連結され、左側連結体４２の先端底辺４９の凹部５０にロープ８のフック（容易着脱部）１２が連結される。ロープ７、８は、配電柱（柱状構造物）２１を周回して係合し、作業者Ｍを支えている。
【図１】
2019042090.tif 000003
【図２】
2019042090.tif 000004
【図３】
2019042090.tif 000005
【図４】
2019042090.tif 000006
【図５】
2019042090.tif 000007
【図６】
2019042090.tif 000008
【図７】
2019042090.tif 000009
【図８】
2019042090.tif 000010
【図９】
2019042090.tif 000011
【図１０】
2019042090.tif 000012